(57)【要約】【課題】床上の塵等の捕捉効率を高めると共に複合的な掃除ができ、更に、外観的にも優れた電気掃除機を提供する。【解決手段】吸込具５を、基部６と、この基部６に上下反転可能に取り付けられて一面側に吸込口２０を有する可動部７と、前記基部６に対して可動に取り付けられた被覆部８とで構成し、前記可動部７の他面側に清掃用シート２１の保持部２２を形成する。これにより、前記可動部７の一面側を下面側とし、前記清掃用シート２１を上面側として前記被覆部８で覆い、前記吸込口２０からごみや埃などを吸引できると共に、前記可動部７を反転して前記清掃用シート２１を下面側に露出させて床上の塵等を捕捉する。この時、前記可動部７と被覆部８との間に前記吸込口２０と連通する連通経路３４が形成されるので、比較的大きなごみや埃が前記通経路３４を介して吸込口２０から吸引され、かつ、前記清掃用シート２１で塵等が捕捉される。【選択図】      図３
2005000554.tif 000002
【特許請求の範囲】
【請求項１】
電動送風機を有する掃除機本体と、この掃除機本体に接続される吸込具とを有する電気掃除機において、前記吸込具が、基部と、この基部に対して上下反転可能に取り付けられた可動部と、前記基部に対して可動に取り付けられて前記可動部を上方から覆う被覆部とを有し、前記可動部の一面側に吸込口を形成すると共に、前記可動部の他面側に清掃用シートを着脱自在に保持するための保持部を前記可動部の任意の箇所に形成したことを特徴とする電気掃除機。
【請求項２】
前記可動部の一面側を上面とした状態で前記可動部の先端側下方と前記吸込口とを連通させる連通経路を形成するように、前記可動部と被覆部との間に隙間を形成したことを特徴とする請求項１記載の電気掃除機。
【発明の詳細な説明】
【０００１】
【発明が属する技術分野】
本発明は電気掃除機に関するものであり、特に、拭き掃除にも使用することができる電気掃除機に関するものである。
【０００２】
【従来の技術】
従来この種の電気掃除機としては、特許文献１、特許文献２、特許文献３に示す電気掃除機が知られている。
【０００３】
特許文献１は、電気掃除機の床用吸込具（本発明の吸込具に該当）の底面板に起毛布を取り付けたものであり、この起毛布が床と接触した状態で掃除機本体を駆動しながら床用吸込具を移動させることで、電気掃除機による吸引掃除と床面の拭き掃除が同時にできるものである。
【０００４】
また、特許文献２は、電気掃除機の吸込具本体（本発明の吸込具に該当）の底面に吸込口を形成すると共に、この吸込口に隣接して拭き部材を設けたものである。なお、この拭き部材として、不織布、布、紙等が用いられる。そして、前記拭き部材が床と接触した状態で掃除機本体を駆動しながら吸込具本体を移動させることで、電気掃除機による吸引掃除と床面の拭き掃除が同時にできるものである。
【０００５】
更に、特許文献３は、電気掃除機のノズル本体（本発明の吸込具に該当）の一方面側に拭き掃除部を形成し、他方面側に床掃除部を形成すると共に、このノズル本体を反転回転可能としたものである。そして、ノズル本体の拭き掃除部が下側となるようにし、この拭き掃除部が床と接触した状態で掃除機本体を駆動しながらノズル本体を移動させることで、汚れを拭き掃除部で捕らえながら床を拭くことができ、また、床掃除部が下側となるようにし、この床掃除部が床と接触した状態で掃除機本体を駆動しながらノズル本体を移動させることで、床の塵等を吸引することができる。
【０００６】
【特許文献１】
特許３０４１７１３号公報
【特許文献２】
特開平８−２９４４６８号公報
【特許文献３】
特開２０００−６０７７３号公報
【０００７】
【発明が解決しようとする課題】
しかしながら、特許文献１において、床の塵等を捕捉することで起毛布が汚れた場合、起毛布を洗わなければならず、手入れが面倒であるという問題があった。また、特許文献１及び２において、起毛布又は拭き部材は前記吸込口を避けた形状にしなければならないため、起毛布又は拭き部材の面積が比較的小さくなってしまい、塵等を捕捉する効率が比較的低いという問題があった。一方、特許文献３においては、前記ノズル本体の一方面側全体を拭き掃除部とできることで、この拭き掃除部の面積を比較的大きくすることができ、従って塵等を捕捉する効率が比較的高いものの、前記ノズル本体を反転させた際に拭き掃除部が露わになってしまい、特に、汚れた拭き掃除部が露わになった場合、外観上好ましくないという問題があった。更に、内部に複数の吸引経路を形成している複雑な構造であるにも拘わらず、床の拭き掃除をしている時には吸引掃除ができず、また、床の吸引掃除をしている時には拭き掃除ができない等、複合的な掃除ができないという問題があった。
【０００８】
本発明は以上の問題点を解決し、床上の塵等の捕捉効率を高めると共に複合的な掃除ができ、更に外観が優れた吸込具を有する電気掃除機を提供することを目的とする。
【０００９】
【課題を解決するための手段】
本発明の請求項１に記載の電気掃除機は、電動送風機を有する掃除機本体と、この掃除機本体に接続される吸込具とを有する電気掃除機において、前記吸込具が、基部と、この基部に対して上下反転可能に取り付けられた可動部と、前記基部に対して可動に取り付けられて前記可動部を上方から覆う被覆部とを有し、前記可動部の一面側に吸込口を形成すると共に、前記可動部の他面側に清掃用シートを着脱自在に保持するための保持部を前記可動部の任意の箇所に形成したものである。
【００１０】
本発明は以上のように構成することにより、前記可動部の一面側の吸込口が下方となるようにして前記被覆部で可動部を覆うことで、前記可動部の他面側に保持された清掃用シートが隠され、また、この状態で前記掃除機本体の電動送風機を作動させることで、前記吸込口から塵が吸い込まれる。また、他面側が下方となるように前記可動部を反転することで、前記可動部の他面側に保持された清掃用シートが下方に露出し、この露出した清掃用シートによって床上の塵等が捕捉される。
【００１１】
また、本発明の請求項２に記載の電気掃除機は、請求項１において、前記可動部の一面側を上面とした状態で前記可動部の先端側下方と前記吸込口とを連通させる連通経路を形成するように、前記可動部と被覆部との間に隙間を形成したものである。
【００１２】
本発明は以上のように構成することにより、他面側が下方となるように前記可動部を反転して前記清掃用シートを下方に露出させ、前記可動部を被覆部で覆うと共に、前記掃除機本体の電動送風機を作動させることで、前記可動部と被覆部との間に形成された連通経路を経て前記吸込口から塵等が吸引されると共に、前記清掃用シートによって床上の塵等が捕捉される。
【００１３】
【発明の実施形態】
以下、本発明の一実施例について、添付図面を参照して説明する。図１ないし図６は本発明の一実施例を示し、同図において、１は上部に折畳自在な柄体２を枢着して内部に電動送風機３を内蔵する掃除機本体である。この掃除機本体１の下部には吸込パイプ４が接続され、その吸込パイプ４に吸込具５が接続されている。
【００１４】
前記吸込具５は、基部６と、この基部６に対して上下反転可能に取り付けられた可動部７と、前記基部６に対して可動に取り付けられて前記可動部７を上方から覆う被覆部８とで構成されている。そして、前記基部６の後縁側に、湾曲筒部９が形成されると共に、前記吸込パイプ４の先端側に、前記湾曲筒部９の内面の曲率と概ね一致する外面を有する水平方向に長い接続筒部１０が形成され、前記湾曲部９の内側に筒部１０を遊嵌させることによって、前記吸込パイプ４に対して前記基部６が回動自在に組み付けられる。また、前記基部６の先端開口部周縁には、前記接続筒部１０の軸方向と直交する方向に突出した短円筒部１１が形成されており、この短円筒部１１に一対の外向きのフランジ部１２，１２が形成されていると共に、このフランジ部１２，１２の間に円環状の溝部１３が形成されている。また、前記基部６と接続される前記可動部７の後面周縁には、内向きのフランジ部１４と円環状の溝部１５とを有する段部１６が形成されている。そして、前記基部６の溝部１３に前記可動部７の内向きのフランジ部１４を遊嵌させると共に、前記基部６の外向きのフランジ部１２を前記可動部７の溝部１５に遊嵌させることによって、前記基部６に対して前記可動部７が、前記接続筒部１０の軸方向と直交する軸回りに回動して上下反転可能に組み付けられている。また、前記湾曲筒部９の両側には、キャスタ１７を軸支する筒部１８がそれぞれ突出形成されている。
【００１５】
前記可動部７は、一面側の先端寄りに吸込口２０が形成されていると共に、他面側に清掃用シート２１を着脱自在に保持するための保持部２２が形成されている。そして、この保持部２２は、前記可動部７の他面側のほぼ四隅に形成される薄肉部２３と、この薄肉部２３に形成されるスリット２４と、このスリット２４によって形成される複数の弾性爪２５によって構成されている。また、前記可動部７の一面側の先端寄りには、前記吸込口２０の後端部に沿うように、可撓性のブレード２６が設けられていると共に、吸込口２０の前部両側には、左右一対の回転ローラ２７が軸支されている。
【００１６】
前記被覆部８は、前記可動部７を上方から覆うカバー部３０と、前記可動部７に軸支される一対の腕部３１とを備えている。そして、前記可動部７の湾曲筒部９には、前記腕部３１を軸支するためのリブ３２が形成されていると共に、このリブ３２と前記腕部３１に形成された係止孔３３を遊嵌させることによって、前記可動部７に対して被覆部８が回動可能に組み付けられている。また、前記被覆部８のカバー部３０は、前記可動部７を覆った際、カバー部３０の先端が可動部７の先端から突出するように形成されている。これにより、図３に示すように、前記可動部７の一面側を上面とした状態で前記カバー部３０を前記可動部７に被せた際に、前記可動部７とカバー部３０との間に隙間Ｓが形成され、この隙間Ｓにより、前記カバー部３０の先端側下方と前記吸込口２０とを連通させる連通経路３４が形成される。
【００１７】
以上のように構成される本発明は、前記基部６に対して可動に取り付けられた前記可動部７に形成された保持部２２に、前記清掃用シート２１の四隅の近傍を押し込むことで、前記弾性爪２５によって前記清掃用シート２１が保持され、これによって、前記可動部７を回動反転させて、主にごみや埃などを前記吸込口２０から吸引することも、前記清掃用シート２１により拭き掃除を行うことも可能である。すなわち、ごみや埃などを吸引する場合、図４に示すように、前記基部６に対して可動に取り付けられた可動部７を、前記吸込口２０が形成された一面側が下方となるように回動反転させ、前記電動送風機３を作動させながら床上で前記吸込具５を移動させることにより、前記吸込口２０から前記掃除機本体１内にゴミや塵埃が吸引される。この時、前記可動部７に前記清掃用シート２１を保持させたままにしておくと、この清掃用シート２１は、必然的に前記吸込具５の上面に配置されることになるが、前記吸込具５に装着される前記被覆部８によって前記清掃用シート２１を覆うことが可能である。これにより、ごみや埃などが付着して汚れた前記清掃用シート２１が直接外部に露出することなく、前記被覆部８によって隠されるから、外観を良好にすることができる。一方、拭き掃除を行う場合、図３に示すように、前記基部６に対して可動に取り付けられた可動部７を、前記吸込口２０が形成された一面側が上面となるように回動反転させて前記可動部７の他面側に保持された清掃用シート２１を下方に露出させ、床上で前記吸込具５を移動させることにより、この露出した清掃用シート２１によって床上の塵等を捕捉することができる。このように、前記可動部７の他面側に清掃用シート２１を保持させる構造では、この清掃用シート２１が前記吸込口２０を避ける必要がないので、前記可動部７の他面側をほぼ全て前記清掃用シート２１で覆うことができる。従って、前記清掃用シート２１の床等に対する接触面積を大きくして塵等の捕捉効率を高めることができる。さらに、前記吸込口２０を有する前記可動部７の一面側を前記被覆部８で覆う際、この被覆部８と前記可動部７との隙間Ｓによって、床等と前記吸込口２０と連通する連通経路３４が形成されるので、前記掃除機本体１の電動送風機３を作動させることで、比較的大きなごみや埃などを、前記連通経路３４を介して吸込口２０から吸引し、かつ、吸引しきれなかった塵等を前記清掃用シート２１で捕捉することができる。
【００１８】
以上、本発明の実施例について詳述したが、本発明は前記実施例に限定されるものではなく、本発明の要旨の範囲内で種々の変形実施が可能である。例えば、前記一実施例では、縦型の掃除機を例として説明したが、コンパクトな卓上型掃除機や、吸込口と掃除機本体とをフレキシブルホースで連結した掃除機といった各種タイプの掃除機本体に適用可能である。さらに、清掃用シートを保持する保持部の構造に関しても、図７の本発明の変形例で示すように、可動部７の他面側に開閉自在なカバー４０を設け、このカバー４０の基端部に清掃用シート２１の一端縁を係止した状態で清掃用シート２１をカバー４０に沿わせて二つ折し、カバー４０を閉じることにより可動部７に清掃用シート２１を保持するように構成してもよい。さらに、被覆部８を閉じることによって被覆部８と可動部７の間に清掃用シート２１を保持するなど、清掃用シート２１を保持するための手段は適宜選定すればよい。また、吸込具を構成する基部、可動部、被覆部などの形状や取付構造なども前記実施例に限らず適宜選定すればよい。
【００１９】
【発明の効果】
本発明の請求項１に記載の電気掃除機は、電動送風機を有する掃除機本体と、この掃除機本体に接続される吸込具とを有する電気掃除機において、前記吸込具が、基部と、この基部に対して上下反転可能に取り付けられた可動部と、前記基部に対して可動に取り付けられて前記可動部を上方から覆う被覆部とを有し、前記可動部の一面側に吸込口を形成すると共に、前記可動部の他面側に清掃用シートを着脱自在に保持するための保持部を前記可動部の任意の箇所に形成したものであり、前記可動部の一面側の吸込口が下方となるようにして前記被覆部で可動部を覆い、前記掃除機本体の電動送風機を作動させることで、前記可動部の他面側に保持された清掃用シートが隠された状態で前記吸込口から塵が吸い込まれるので、外観を良好にすることができるばかりでなく、他面側が下方となるように前記可動部を反転することで、前記可動部の他面側に保持された清掃用シートが下方に露出し、この露出した清掃用シートによって床上の塵等が捕捉されるので、前記可動部の吸込口が形成されていない他面側を全て前記清掃用シートで覆うことができ、従って、前記清掃用シートの接触面積を大きくして塵等の捕捉効率を高めることができる。
【００２０】
また、本発明の請求項２に記載の電気掃除機は、請求項１において、前記可動部の一面側を上面とした状態で前記可動部の先端側下方と前記吸込口とを連通させる連通経路を形成するように、前記可動部と被覆部との間に隙間を形成したものであり、他面側が下方となるように前記可動部を反転して前記清掃用シートを下方に露出させ、前記可動部を被覆部で覆うと共に、前記掃除機本体の電動送風機を作動させることで、前記可動部と被覆部との間に形成された連通経路を経て前記吸込口から塵等が吸引されると共に、前記清掃用シートによって床上の塵等が捕捉されるので、前記清掃用シートの接触面積を大きくしつつ同時に塵等を吸引することができる。
【図面の簡単な説明】
【図１】本発明の一実施例を示す掃除機の全体斜視図である。
【図２】同上、吸込具の斜視図である。
【図３】同上、吸込具の断面図であり、清掃用シートを下面側に向けた状態を示している。
【図４】同上、吸込具の断面図であり、吸込口を下面側に向けた状態を示している。
【図５】同上、吸込具の平面図である。
【図６】同上、吸込具の平面断面図である。
【図７】吸込具の変形例を示す斜視図である。
【符号の説明】
１  掃除機本体
３  電動送風機
５  吸込具
６  基部
７  可動部
８  被覆部
２１  清掃用シート
２２  保持部
３４  連通経路
Ｓ    隙間
４０  カバー（保持部）
【図１】
2005000554.tif 000003
【図２】
2005000554.tif 000004
【図３】
2005000554.tif 000005
【図４】
2005000554.tif 000006
【図５】
2005000554.tif 000007
【図６】
2005000554.tif 000008
【図７】
2005000554.tif 000009
【手続補正書】
【提出日】平成16年1月22日(2004.1.22)
【手続補正１】
【補正対象書類名】明細書
【補正対象項目名】００１６
【補正方法】変更
【補正の内容】
【００１６】
前記被覆部８は、前記可動部７を上方から覆うカバー部30と、前記基部６に軸支される一対の腕部31とを備えている。そして、前記可動部７の湾曲筒部９には、前記腕部31を軸支するためのリブ32が形成されていると共に、このリブ32と前記腕部31に形成された係止孔33を遊嵌させることによって、前記基部６に対して被覆部８が回動可能に組み付けられている。また、前記被覆部８のカバー部30は、前記可動部７を覆った際、カバー部30の先端が可動部７の先端から突出するように形成されている。これにより、図３に示すように、前記可動部７の一面側を上面とした状態で前記カバー部30を前記可動部７に被せた際に、前記可動部７とカバー部30との間に隙間Ｓが形成され、この隙間Ｓにより、前記カバー部30の先端側下方と前記吸込口20とを連通させる連通経路34が形成される。


【手続補正２】
【補正対象書類名】明細書
【補正対象項目名】００１８
【補正方法】変更
【補正の内容】
【００１８】
以上、本発明の実施例について詳述したが、本発明は前記実施例に限定されるものではなく、本発明の要旨の範囲内で種々の変形実施が可能である。例えば、前記一実施例では、縦型の掃除機を例として説明したが、コンパクトな卓上型掃除機や、吸込口と掃除機本体とをフレキシブルホースで連結した掃除機といった各種タイプの掃除機に適用可能である。さらに、清掃用シートを保持する保持部の構造に関しても、図７の本発明の変形例で示すように、可動部７の他面側に開閉自在なカバー40を設け、このカバー40の基端部に清掃用シート21の一端縁を係止した状態で清掃用シート21をカバー40に沿わせて二つ折し、カバー40を閉じることにより可動部７に清掃用シート21を保持するように構成してもよい。さらに、被覆部８を閉じることによって被覆部８と可動部７の間に清掃用シート21を保持するなど、清掃用シート21を保持するための手段は適宜選定すればよい。また、吸込具を構成する基部、可動部、被覆部などの形状や取付構造なども前記実施例に限らず適宜選定すればよい。


【手続補正３】
【補正対象書類名】明細書
【補正対象項目名】符号の説明
【補正方法】変更
【補正の内容】
【符号の説明】
１  掃除機本体
３  電動送風機
５  吸込具
６  基部
７  可動部
８  被覆部
21  清掃用シート
22  保持部
34  連通経路
Ｓ  隙間
40  カバー（保持部）


【手続補正４】
【補正対象書類名】図面
【補正対象項目名】図３
【補正方法】変更
【補正の内容】
【図３】
2005000554.tif 000010